(57)【要約】      （修正有）【課題】長尺状に折り畳んだスカーフを複数の穴が設けられたベルトに様々な固定の仕方が可能で、固定されたベルトを使用者の身体に装着することができるスカーフ固定ベルトを提供する。【解決手段】スカーフ固定ベルト４００は、両端部に用いる第１のベルト４０１と、第１のベルト４０１との間を連結させるための第２のベルト４０２とから構成されている。第１のベルト４０１は、一方の端部に打ち抜き穴が設けられ、他方の端部には、第１のベルト４０１の長さ方向の約１／３を占める大きさの挿通穴が設けられている。そして、挿通穴側の端部には、くびれ形状を有し、挿通穴は、このくびれ形状に合わせた形状となっている。第２のベルト４０２は、両端に第１のベルト４０１と同様のくびれ形状と、このくびれ形状に合わせた挿通穴が設けられている。【選択図】図１
0003151602.tif 000002
【実用新案登録請求の範囲】
【請求項１】
長さ方向にスカーフ固定するための帯状のスカーフ固定ベルトであって、
ベルト本体に前記スカーフを縫うように通すための複数の穴が設けられていることを特徴とするスカーフ固定ベルト。
【請求項２】
長さ方向にスカーフ固定するための帯状のスカーフ固定ベルトであって、
前記スカーフ固定ベルトは、両端に穴が設けられた端部用部材と、該端部用部材に連結するための連結用部材とから構成されており、
前記連結用部材は、その両端に穴が設けられており、該穴に前記端部用部材の一端を通して相互に連結させてベルト本体を構成するようにしたことを特徴とするスカーフ固定ベルト。
【請求項３】
前記連結された部位では、少なくとも連結によって仕切られた２つの空間が形成されることを特徴とする請求項２に記載のスカーフ固定ベルト。
【考案の詳細な説明】
【技術分野】
【０００１】
本考案は、折り畳んだスカーフを固定することができるスカーフ固定ベルトに関し、特に、様々な形状のベルトに併せてスカーフを固定し、ファッションアイテムとして使用することが可能なスカーフ固定ベルトに関する。
【背景技術】
【０００２】
スカーフは、方形状の布であって、様々なデザイン、色彩のものが提案されており、各種の結び方を行うことで、服装に多様な変化を付けることができる。使用方法としては、例えば、首に巻いたり、頭に装着したり、肩から羽織ったり、ベルトの代わりに腰に巻いたりとポイントを強調するためによく使用されるが、そのカラフルさからおしゃれを楽しむことができるファッションアイテムとして広く利用されている。
【０００３】
しかし、装着の仕方、例えば、スカーフを首に巻きつけたとき、身体の動作によっては巻きつけたスカーフがズレたり、落ちてしまうことがあり、その度にスカーフの着用を整える必要がある。このような問題を解決するものとして特許文献１で開示されるようなスカーフ留め具がある。このスカーフ留め具によれば、着用したスカーフのズレを防止するために、スカーフを衣服の襟に固定することにより、スカーフ全体の揺動をなくし、歩行時においても体裁よくスカーフを着用することができるものである。
【先行技術文献】
【特許文献】
【０００４】
【特許文献１】特開平９−３０８５０７号公報
【考案の概要】
【考案が解決しようとする課題】
【０００５】
上記したスカーフ留め具は、スカーフを首に巻きつけた時に使用するものであり、スカーフをベルトの代わりに腰に巻きつける場合に、スカーフと衣服とを留めるためは、スカーフと衣服とを複数の箇所で留める必要があり、外す際にも手間がかかり面倒である。また、スカーフ単体をベルト代わりに使用する場合、スカーフが柔らかい素材であるため、ベルトとしての機能を発揮するための強度や安定感に欠けるといった問題がある。
【０００６】
本考案は係る問題に鑑みてなされたものであり、長尺状に折り畳んだスカーフを複数の穴が設けられたベルトに様々な固定の仕方が可能で、固定されたベルトを使用者の身体に装着することができ、それであって、おしゃれ感を損なわないスカーフ固定ベルトを提供することを目的とする。
【課題を解決するための手段】
【０００７】
本考案は、上記目的を達成するために、長さ方向にスカーフ固定するための帯状のスカーフ固定ベルトであって、ベルト本体に前記スカーフを縫うように通すための複数の穴が設けられていることを特徴とするスカーフ固定ベルトを提供するものである。
【０００８】
また、本考案は、上記目的を達成するために、長さ方向にスカーフ固定するための帯状のスカーフ固定ベルトであって、前記スカーフ固定ベルトは、両端に穴が設けられた端部用部材と、該端部用部材に連結するための連結用部材とから構成されており、前記連結用部材は、その両端に穴が設けられており、該穴に前記端部用部材の一端を通して相互に連結させてベルト本体を構成するようにしたことを特徴とするスカーフ固定ベルトを提供するものである。
【０００９】
以上の構成において、前記連結された部位では、少なくとも連結によって仕切られた２つの空間が形成されることが望ましい。
【考案の効果】
【００１０】
本考案によれば、長尺状に折り畳んだスカーフを複数の穴に通すことでベルト本体に固定することができ、使用者の身体に装着したときの安定感を保つことが可能である。また、スカーフの色やデザインに合わせて、様々な形状のベルト本体を選択することができるため、使用者の個性にあったおしゃれを楽しむことができる。
【図面の簡単な説明】
【００１１】
【図１】本考案の実施の形態に係るスカーフ固定ベルトの外観を示す図である。
【図２】本考案の実施の形態に係るスカーフ固定ベルトを構成する第１のベルトおよび第２のベルトの外観を示す図であり、（ａ）は、第１のベルトの外観図、（ｂ）は第２のベルトの外観図である。
【図３】本考案の実施の形態に係るスカーフ固定ベルトにスカーフを挿通させた状態を示す図である。
【図４】本考案の実施の形態に係るスカーフ固定ベルトの使用例を示した図である。
【図５】他のスカーフ固定ベルトの例を示す図である。
【図６】他のスカーフ固定ベルトの例を示す図である。
【図７】他のスカーフ固定ベルトの例を示す図である。
【考案を実施するための形態】
【００１２】
次に、図面を参照して、本考案の実施形態に係るスカーフ固定ベルトについて詳細に説明する。
図１は、スカーフ固定ベルトの外観を示す図である。
図に示すように、このスカーフ固定ベルト４００は、第１のベルト４０１と第２のベルト４０２とを所定方法で連結した長尺状のベルトとなっている。なお、図では、第２のベルト４０２を相互に連結し、その第２のベルト４０２の一端にそれぞれ第１のベルト４０１を連結する構成となっている。
【００１３】
図２は、このスカーフ固定ベルト４００を構成する第１のベルト４０１および第２のベルト４０２の外観を示す図であり、（ａ）は、第１のベルト４０１の外観図、（ｂ）は第２のベルト４０２の外観図である。
図２（ａ）に示すように、第１のベルト４０１には、一方の端部に、打ち抜き穴４０１ａが設けられており、他方の端部に、第１のベルト４０１の長さの約１／３を占める大きさのくびれ形状を有する挿通穴４０１ｂが設けられている。また、図２（ｂ）に示すように、第２のベルト４０２には、第１のベルト４０１の挿通穴４０１ｂと同じ形状の挿通穴４０２ａ，４０２ｂが両端に設けられている。
【００１４】
図１に示したスカーフ固定ベルト４００は、この第１のベルト４０１の挿通穴４０１ｂと第２のベルト４０２の挿通穴４０２ａをそれぞれ連結することにより形成されるものである。
【００１５】
具体的には、まず、図２（ａ）に示す第１のベルト４０１を用意し、この第１のベルト４０１の挿通穴４０１ｂ側の端部を第２のベルト４０２の挿通穴４０２ａに挿通し、この状態で、第２のベルト４０２の挿通穴４０２ｂ側の端部を持ち、これを第１のベルト４０１の挿通穴４０１ｂの内側に挿通し周回させる。これにより、第１のベルト４０１と第２のベルト４０２が連結される。次に、同じ要領で、もう１つの第２のベルト４０２を、第１のベルト４０１に連結されている第２のベルト４０２のフリーになっている挿通穴４０２ｂに連結する。そして、同じ要領で、この第２のベルト４０２のフリーになっている挿通穴４０２ｂに第１のベルト４０１を連結し、長尺のスカーフ固定ベルト４００を形成する。なお、図１では第２のベルトが２つの例を示したが、これに限られるものではなく、長さ調整が必要な場合は、この第２のベルトを増減することによって調整するようにしてもよい。
【００１６】
図３は、このようにして形成されたスカーフ固定ベルト４００にスカーフ１０を挿通させた状態を示す図である。
図に示すように、スカーフ１０は、第１のベルト４０１の打ち抜き穴４０１ａの下方から上方に向かって挿通され、挿通された側の面から、今度は第１のベルト４０１の挿通穴４０１ｂと第２のベルト４０２の挿通穴４０２ａで連結され形成された一方の仕切り空間に下方に向かって挿通され、直ちに折り返して他方の仕切り空間から上方に向かって挿通され、これを同じように２度繰り返し、最終的に第１のベルト４０１の打ち抜き穴４０１ａに下方に向かって挿通される。言わば、スカーフ１０は、第１のベルト４０１および第２のベルトの連結によって形成される挿通穴を利用して縫うようにして挿通される。このように挿通することにより、スカーフ１０の自由な移動（すり抜け）が規制され、スカーフ固定ベルト４００にスカーフ１０を固定することができる。なお、このように構成されるスカーフ固定ベルト４００の長さは、長尺状に折り畳んだ（あるいは絞った）スカーフよりも短い長さになることが望ましい。後述するように、スカーフの端部をもって装着する（結ぶ）ためである。
【００１７】
図４は、このスカーフ固定ベルト４００の使用例を示す図である。
図に示すように、例えば、このスカーフ１０が挿通されたスカーフ固定ベルト４００を使用者のウエストに当てて、スカーフ固定ベルト４００の両端の打ち抜き穴４０１ａに通されたスカーフ１０のそれぞれの先端を結ぶことにより、使用者のウエストに固定することがきる。このように、スカーフを挿通させてベルトに固定されるようにしたので、ベルトのみのファッションのみならずスカーフのカラフルさを利用したファッションも楽しむことができる。
【００１８】
なお、このスカーフ固定ベルトの素材は、通常は、天然皮革を用いるが、これに限られるものではなく、例えば、ナイロンやポリエステル等の合成樹脂材であってもよい。
【００１９】
図５〜図７は、スカーフ固定ベルトの他の例を示す図である。
図５に示すスカーフ固定ベルト２００は、両端部に用いる端部用部材２０１と両端の端部用部材２０１とを連結させるための連結用部材２０２が縫製によって連結されている。端部用部材２０１は、一方の端部に打ち抜き穴２０１ａが設けられ、他方の端部に略Ｃ型形状の装飾穴２０１ｂとその近傍に打ち抜き穴２０１ｃが設けられている。そして、連結用部材２０２には、両端部に略Ｃ型形状の装飾穴２０２ａと、その近傍に打ち抜き穴２０２ｂが設けられている。
【００２０】
これら、端部用部材２０１と連結用部材２０２とを連結させるには、まず、端部用部材２０１に設けられた装飾穴２０１ｂと、隣り合う連結用部材２０２の一方の装飾穴２０２ａとを上下に重ね合わせて縫製して連結させる。次に、この連結用部材２０２の他方の装飾穴２０２ａに、隣り合う連結用部材２０２の装飾穴２０２ａを上下に重ね合わせて縫製して連結させる。この作業を所定の長さになるまで繰り返し、末端となる連結用部材２０２の一方の装飾穴２０２ａに端部用部材２０１の装飾穴２０１ｂを上下に重ね合わせて縫製して連結させる。これにより、スカーフ固定ベルト２００を構成することができる。
【００２１】
そして、図１〜図４について説明したのと同じ要領で、予め長尺状に折り畳んだスカーフを挿通する。このスカーフ固定ベルト２００に予め長尺状に折り畳んだスカーフを固定するためには、スカーフの先端を端部用部材２０１の打ち抜き穴２０１ａに裏面から通し、その先端を次に、端部用部材２０１の装飾穴２０１ｂと連結用部材２０２の装飾穴２０２ａとが重なり合って形成される穴に通す。次に、隣り合う連結用部材２０２の装飾穴２０２ａが重なり合って形成される穴にスカーフの先端を通し、最後に、他方の端部用部材２０１の打ち抜き穴２０１ａにスカーフの先端を通す。これにより、図１〜図４に示したスカーフ固定ベルトと同様な効果を奏することができる。
【００２２】
図６に示すスカーフ固定ベルト３００は、両端部に用いる端部用部材３０１と、両端の端部用部材３０１を連結させるための複数の連結用部材３０２とを連結させて構成されている。端部用部材３０１は、両端に打ち抜き穴３０１ａ，３０１ｂが設けられている。一方の打ち抜き穴３０１ａは、他方の打ち抜き穴３０１ｂよりも径が小さい。そして、連結用部材３０２は、両端に打ち抜き穴３０２ａ，３０２ｂが設けられている。
【００２３】
端部用部材３０１に設けられている径の大きい打ち抜き穴３０１ｂと、隣り合う連結用部材３０２の一方の打ち抜き穴３０２ａとを上下に重ね合わせて縫製する。そして、この連結用部材３０２の他方の打ち抜き穴３０２ｂに隣り合う連結用部材３０２の打ち抜き穴３０２ｂを上下に重ね合わせ縫製する。この作業を繰り返し、所定の長さになるまで、連結用部材３０２を連結させる。最後に、連結用部材３０２の一方の打ち抜き穴３０２ａと端部用部材３０１の径の大きい打ち抜き穴３０１ａとを上下に重ね合わせて縫製することで、スカーフ固定ベルト３００を構成することができる。
【００２４】
このスカーフ固定ベルト３００に、長尺状に折り畳んだスカーフの先端を端部用部材３０１の径の小さい打ち抜き穴３０１ａに裏面から通し、その先端を端部用部材３０１の径の大きい打ち抜き穴３０１ｂと連結用部材３０２の打ち抜き穴３０２ａとの重なり合って形成される穴に表面側から通す。これを繰り返し、最後に、他方の端部用部材３０１の径の小さい打ち抜き穴３０１ａに通すことで、スカーフをスカーフ固定ベルト３００に固定することができる。
【００２５】
図７に示すスカーフ固定ベルト１００は、長尺状の帯状形態の長さ方向にわたって、複数の打ち抜き穴１０１が設けられている。この打ち抜き穴１０１に、図１〜図４について説明したのと同じ要領で、予め長尺状に折り畳んだスカーフを交互に挿通する。これにより、図１〜図４に示したスカーフ固定ベルトと同様な効果を奏することができる。
【００２６】
上記説明したように、スカーフ固定ベルトは様々な形状の帯状形態であり、使用者は、これらの中から選択して、長尺状に折り畳んだスカーフを巻きつけたり、打ち抜き穴に交互に通したりして固定する。そして、身体に装着することで、安定感を保持しつつ、スカーフをベルトの代わりとして使用することができ、新たなファッションアイテムとして利用することができる。同時に、ベルトのみのファッションだけでなくスカーフのカラフルさを利用したファッションも楽しむことができる。
【符号の説明】
【００２７】
１０    スカーフ
１００、２００、３００、４００    スカーフ固定ベルト
１０１    打ち抜き穴
２０１    端部用部材
２０２    連結用部材
２０２ａ  装飾穴
３０１    端部用部材
３０１ａ  打ち抜き穴
３０１ｂ  打ち抜き穴
３０２    連結用部材
３０２ａ  打ち抜き穴
３０２ｂ  打ち抜き穴
４０１    第１のベルト
４０１ａ  打ち抜き穴
４０１ｂ  挿通穴
４０２    第２のベルト
４０２ａ  挿通穴
４０２ｂ  挿通穴
【図１】
0003151602.tif 000003
【図２】
0003151602.tif 000004
【図３】
0003151602.tif 000005
【図５】
0003151602.tif 000006
【図６】
0003151602.tif 000007
【図７】
0003151602.tif 000008
【図４】
0003151602.tif 000009
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
長さ方向にスカーフを固定するための帯状のスカーフ固定ベルトであって、
ベルト本体に前記スカーフを縫うように通すための複数の穴が設けられていることを特徴とするスカーフ固定ベルト。
【請求項２】
前記ベルト本体は、両端に穴が設けられた端部用部材と、該端部用部材に連結するための連結用部材とから構成されており、
前記連結用部材は、その両端に穴が設けられており、該穴に前記端部用部材の一端を通して相互に連結させベルト本体を構成するようにしたことを特徴とする請求項１記載のスカーフ固定ベルト。
【請求項３】
前記連結された部位では、少なくとも連結によって仕切られた２つの空間が形成されることを特徴とする請求項２に記載のスカーフ固定ベルト。
【手続補正２】
【補正対象書類名】明細書
【補正対象項目名】０００７
【補正方法】変更
【補正の内容】
【０００７】
本考案は、上記目的を達成するために、長さ方向にスカーフを固定するための帯状のスカーフ固定ベルトであって、ベルト本体に前記スカーフを縫うように通すための複数の穴が設けられていることを特徴とするスカーフ固定ベルトを提供するものである。
【手続補正３】
【補正対象書類名】明細書
【補正対象項目名】０００８
【補正方法】変更
【補正の内容】
【０００８】
また、本考案は、上記目的を達成するために、前記ベルト本体は、両端に穴が設けられた端部用部材と、該端部用部材に連結するための連結用部材とから構成されており、前記連結用部材は、その両端に穴が設けられており、該穴に前記端部用部材の一端を通して相互に連結させベルト本体を構成するようにしたことを特徴とするスカーフ固定ベルトを提供するものである。
【手続補正４】
【補正対象書類名】図面
【補正対象項目名】図４
【補正方法】変更
【補正の内容】
【図４】
0003151602.tif 000010